(57)【要約】【課題】本発明は、電子メールのダウンロードを確実且つ容易に行え、ダウンロード後のファイル管理も容易に行える携帯通信端末を提供することを目的とする。【解決手段】本発明の携帯通信端末は、メール管理手段から添付ファイルの容量を記載したメールリストを要求し、該メールリストを受信したときには、添付ファイルの容量に従って電子メールを受信するか否かと、該添付ファイルを格納する記憶部の媒体を決定するダウンロード判断手段と、受信した電子メールから添付ファイルを分離するファイル分離手段と、ファイル分離手段が分離した添付ファイルの管理を行うファイル管理手段を備えたことを特徴とする。【選択図】　図２
2004038532.tif 000002
【特許請求の範囲】
【請求項１】
無線信号で通信する無線送受信部と、添付ファイル付き電子メールを送受信できるメール管理手段と、複数の記憶媒体から構成された記憶部を備えた携帯通信端末であって、
前記メール管理手段が添付ファイルの容量情報を載せたメールリストを受信したときには、該容量情報に従って、電子メールを受信するか否か、さらに受信する場合において該添付ファイルを格納する記憶媒体を決定するダウンロード判断手段と、
受信した電子メールから添付ファイルを分離するファイル分離手段と、
前記ファイル分離手段が分離した添付ファイルを前記記憶媒体に格納するファイル管理手段を備えたことを特徴とする携帯通信端末。
【請求項２】
前記記憶部には、不揮発性のフラッシュメモリと、メモリカードが設けられたことを特徴とする請求項１記載の携帯通信端末。
【請求項３】
前記ダウンロード判断手段が、第１容量より大きい容量情報の場合には受信せず、第１容量以下の容量情報のときに受信することを特徴とする請求項１または２記載の携帯通信端末。
【請求項４】
前記ダウンロード判断手段が、第１容量以下で第２容量より大きな容量情報のときにはメモリカードに、また該第２容量以下の容量情報のときにはフラッシュメモリに格納させることを特徴とする請求項２または３の携帯通信端末。
【請求項５】
キー入力部からの入力により、メール管理手段がメールサーバに不要な電子メールを削除させることを特徴とする請求項１〜４のいずれかに記載の携帯通信端末。
【請求項６】
キー入力部からの入力により、メール管理手段が不要な添付ファイルを削除した本文メッセージだけをメールサーバに送信させることを特徴とする請求項１〜４のいずれかに記載の携帯通信端末。
【請求項７】
受信したメールリストからファイル管理に必要な項目を取り出して作成管理リスト一覧を作成するリスト処理手段を備え、
前記ファイル管理手段がこの作成管理リスト一覧に基づいてファイル管理を行うことを特徴とする請求項１〜６のいずれかに記載の携帯通信端末。
【請求項８】
前記リスト処理手段がメモリカードのファイル管理を行うためのメモリカード用作成管理リスト一覧を作成し、前記ファイル管理手段がこのメモリカード用作成管理リスト一覧を前記メモリカードのファイル管理部に格納することを特徴とする請求項７記載の携帯通信端末。
【請求項９】
前記メールリストがカラオケのメールリストであって、前記リスト処理手段がカラオケ作成管理リストを作成し、該カラオケ作成管理リストに基づいてファイル管理が行われることを特徴とする請求項８記載の携帯通信端末。
【発明の詳細な説明】
【０００１】
【発明の属する技術分野】
本発明は、メールリストを受信することにより、添付付き電子メールを受信するか否か、また添付付き電子メールを記憶部のどの記憶媒体にダウンロードして格納するかを決定できる携帯通信端末に関する。
【０００２】
【従来の技術】
近年の携帯電話やＰＨＳ等の携帯通信端末の普及は目覚しい。そして最近の携帯通信端末の利用方法は、本来の電話装置として通話に使う場合よりも、電子メールを送受信したり、インターネットに接続して多くの情報を入手する手段として利用されることが多くなってきている。このとき問題になるのが携帯通信端末の記憶容量である。パソコン等では大きなメモリを備えたものが普及し、今では記憶容量が問題になることはない。しかし、携帯通信端末は小型であるが故に、記憶容量が依然問題である。そこで、このような携帯通信端末において、メモリカードを装着して記憶容量を増すことが提案されている。その中の１つの技術として、制御部が必要とする制御プログラムおよび大容量のデータを格納するため、従来のリニアフラッシュメモリに代えてファイルストレージ用フラッシュメモリを採用し、この制御部が使用するプログラムを格納するとともに、受信データのバッファメモリとして機能するランダムアクセスメモリとしたメモリシステムを構築する携帯通信端末が提案されている（特開２００１−２５０５３）。これによって携帯電話で、高速で大容量の受信データ、例えば音楽や画像等を記憶し且つ読み出すことができるようになる。
【０００３】
しかし、この従来の携帯電話は、ファイルストレージ用フラッシュメモリによって最終的に音楽や画像等を格納するメモリの記憶容量は大きくすることはできるが、大量のデータが一挙にダウンロードされるときの記憶容量の問題は改善されていない。しかもオーバーフローしたデータはサーバ側で自動的に削除されてしまうため、二度とダウンロードすることはできない。従って、ファイルストレージ用フラッシュメモリとしてメモリカードを採用し、これを携帯通信端末に装着したとしても、携帯通信端末のダウンロード時に発生する記憶容量不足の問題は依然として残るものであった。
【０００４】
そして、とくに問題となるのが電子メールである。電子メールには画像や音楽等のマルチメディアのファイルが添付されていることがあり、しかも複数のメールがメールサーバに保存されているときなど、大容量のデータがまとめて一挙にダウンロードされてしまう。このときメモリオーバーが発生する。このため、各ユーザのメール受信量や受信時間帯に応じて着信通知を行い、少ない記憶容量でメールを管理する方法（特開２０００−１６５４３３）も提案されている。しかし、メールサーバにかかる負担は大きく、上記した記憶容量不足の問題は基本的に解決されていない。
【０００５】
そこで、メールサーバから電子メールのヘッダと本文１行を１個ずつ送り、携帯端末でこのリストを作成し、ユーザがこれから読みたい電子メールを１個ずつ指定し、これを１個ずつメールサーバから携帯端末へダウンロードする方法が提案された（特開平１１−６５９６２）。携帯端末へダウンロードされた電子メールは、携帯端末のメインメモリのメール保存用メモリに上書きされる。このようなシステムによって、携帯端末に必要なメモリはほぼ１通分の容量で足り、携帯端末のメモリ容量を低減することが可能になる。また、大容量の電子メールの場合は、ダウンロード量を所定値までとし、これを越えるときはダウンロードを一旦打ち切って指示により後で再開することができるものであった。
【０００６】
しかし、この方法は、複数の電子メールがある場合には全電子メールの総和の容量を通知するだけのため、どのメールの容量が大きいのか不明で実際には役に立たず、ユーザがリストに記載された送信者名と題名と本文１行とで１つ１つ判断してダウンロードするか否かを決定しなければならない。誤ってダウンロードすると簡単にオーバーフローしてしまうし、再受信できない場合も起こり、２度手間となる。短時間のうちに携帯通信端末でダウンロードするか否かの正確な判断をユーザに期待するのは酷なことである。さらにこの方法は、添付ファイル付き電子メールをダウンロードした後、どのように管理するかについてはまったく対策されていないものであった。
【０００７】
【発明が解決しようとする課題】
以上説明したように従来の携帯通信端末は、リニアフラッシュメモリに代えてファイルストレージ用フラッシュメモリを使用するため、全体的に記憶容量を大きくすることができる。しかし、記憶容量が小さいランダムアクセスメモリに対して、大量のデータを一挙にダウンロードしてオーバフローしないようにする問題は解決されていない。そしてオーバーフローしたデータはサーバ側で自動的に削除されてしまうため、二度とダウンロードすることはできない。従って、メモリカード等を携帯通信端末に装着することは、全体の記憶容量を増すことはできるが、携帯通信端末のダウンロード時の容量不足に関しては解決手段にならないものであった。
【０００８】
また、メール受信量や受信時間帯に応じて着信通知を行って管理する方法は、メールサーバにかける負担が大きく、実用性に疑問が残る。各ユーザごとにメール受信量や受信時間帯を記録して判断し、更新していかなければならない。
【０００９】
さらに、ヘッダを基に携帯端末が作成したリストの中から、ユーザが電子メールを１個ずつ指定してダウンロードする方法は、ユーザがリストに記載された送信者名と題名と本文の最初の１行とで、１つ１つ判断してダウンロードするか否かを決定しなければならない。大容量のものを誤ってダウンロードしてしまうとオーバーフローし、二度と受信できない場合も発生する。そうでなくとも二度手間となる危険があった。ダウンロードするか否かの判断を１件１件携帯通信端末のユーザに求めるのは利便性に欠ける。また、その後の添付ファイルの管理も、本文を読んで一般のファイルと一緒に管理するのでは、利便性に欠け検索するのが面倒なものとなる。もし、添付ファイルのファイル管理のための処理が、ダウンロード時に一度に行えたらファイル管理の効率が向上するはずである。
【００１０】
そしてこれは、とくにカラオケ等のマルチメディアのデータをダウンロードするとき等にとくに問題となる。各カラオケのデータはデータ量が大きくばらつきもかなりの幅がある。結果としてデータ量が多すぎたというような場合が発生し、ダウンロード後の管理も煩雑である。
【００１１】
そこで本発明は、電子メールのダウンロードを確実且つ容易に行え、ダウンロード後のファイル管理も容易に行える携帯通信端末を提供することを目的とする。
【００１２】
【課題を解決するための手段】
上記目的を達成するため本発明の携帯通信端末は、添付ファイルの容量を記載したメールリストを受信したときには、メール管理手段が、添付ファイルの容量に従って、電子メールを受信するか否か、さらに受信する場合において該添付ファイルを格納する記憶媒体を決定するダウンロード判断手段と、受信した電子メールから添付ファイルを分離するファイル分離手段と、ファイル分離手段が分離した添付ファイルを記憶媒体に格納するファイル管理手段を備えたことを特徴とする。
【００１３】
これにより、電子メールのダウンロードを確実且つ容易に行え、ダウンロード後のファイル管理も容易に行える携帯通信端末を提供することができる。
【００１４】
【発明の実施の形態】
本発明の請求項１に記載された発明は、無線信号で通信する無線送受信部と、添付ファイル付き電子メールを送受信できるメール管理手段と、複数の記憶媒体から構成された記憶部を備えた携帯通信端末であって、メール管理手段が添付ファイルの容量情報を載せたメールリストを受信したときには、該容量情報に従って、電子メールを受信するか否か、さらに受信する場合において該添付ファイルを格納する記憶媒体を決定するダウンロード判断手段と、受信した電子メールから添付ファイルを分離するファイル分離手段と、ファイル分離手段が分離した添付ファイルを記憶媒体に格納するファイル管理手段を備えたことを特徴とする携帯通信端末であって、メールリストから添付ファイルの容量を検出して、受信するのかしないのか、受信するときには格納する記憶媒体を決定するので、添付付き電子メールのダウンロードを確実且つ容易に行え、ダウンロード判断手段の一定の判断基準で管理ができるからダウンロード後にもファイル管理が容易に行える。
【００１５】
本発明の請求項２に記載された発明は、記憶部には、不揮発性のフラッシュメモリと、メモリカードが設けられたことを特徴とする請求項１記載の携帯通信端末であって、記憶容量の大きなメモリカードに例えばカラオケのデータ等を格納し、容量の小さなファイルはフラッシュメモリに格納し、ダウンロード後のファイル管理が容易である。
【００１６】
本発明の請求項３に記載された発明は、ダウンロード判断手段が、第１容量より大きい容量情報の場合には受信せず、第１容量以下の容量情報のときに受信することを特徴とする請求項１または２記載の携帯通信端末であって、第１容量を越えたときには受信を止め、第１容量以下のときにダウンロードするから、受信の判断が容易である。
【００１７】
本発明の請求項４に記載された発明は、ダウンロード判断手段が、第１容量以下で第２容量より大きな容量情報のときにはメモリカードに、また該第２容量以下の容量情報のときにはフラッシュメモリに格納させることを特徴とする請求項２または３の携帯通信端末であって、第１容量以下で第２容量より大きな容量のファイルは記憶容量が大きなメモリカードに収容でき、第２容量以下の小さな容量のときには内蔵のフラッシュメモリに格納できる。カラオケのデータ等は大きな容量のためメモリカードで一括して管理できる。
【００１８】
本発明の請求項５に記載された発明は、キー入力部からの入力により、メール管理手段がメールサーバに不要な電子メールを削除させることを特徴とする請求項１〜４のいずれかに記載の携帯通信端末であって、不要と判断される電子メールを削除させることができる。
【００１９】
本発明の請求項６に記載された発明は、キー入力部からの入力により、メール管理手段が不要な添付ファイルを削除した本文メッセージだけをメールサーバに送信させることを特徴とする請求項１〜４のいずれかに記載の携帯通信端末であって、容量が大きい添付ファイルに対して、またこのほかにユーザが不要と判断する添付ファイルを削除して、本文メッセージだけを受信できる。
【００２０】
本発明の請求項７に記載された発明は、受信したメールリストからファイル管理に必要な項目を取り出して作成管理リスト一覧を作成するリスト処理手段を備え、ファイル管理手段がこの作成管理リスト一覧に基づいてファイル管理を行うことを特徴とする請求項１〜６のいずれかに記載の携帯通信端末であって、受信したメールリストで作成管理リスト一覧を作成するから、ファイル管理を行うため改めて他のファイルと同様に管理のためのリストをつくるのではなく、メールリストを受信したときに、同時に作成管理リスト一覧を作成することができる。
【００２１】
本発明の請求項８に記載された発明は、リスト処理手段がメモリカードのファイル管理を行うためのメモリカード用作成管理リスト一覧を作成し、ファイル管理手段がこのメモリカード用作成管理リスト一覧をメモリカードのファイル管理部に格納することを特徴とする請求項７記載の携帯通信端末であって、ファイル管理を行うため改めて他のファイルと同様に管理のためのリスト（ディレクトリ）をつくるのではなく、メールリストを受信したときに、同時にメールリストからメモリカード用作成管理リスト一覧を作成することができる。
【００２２】
本発明の請求項９に記載された発明は、メールリストがカラオケのメールリストであって、リスト処理手段がカラオケ作成管理リストを作成し、該カラオケ作成管理リストに基づいてファイル管理が行われることを特徴とする請求項８記載の携帯通信端末であって、メールリストから直接カラオケ作成管理リストを作成するから、ダウンロード後のファイル管理が容易に行える。
【００２３】
（実施の形態１）
以下、本発明の実施の形態１における携帯通信端末について図面に基づき説明する。図１は本発明の実施の形態１における携帯通信端末を用いる通信システムの構成図、図２（ａ）は本発明の実施の形態１における携帯通信端末の制御ブロック図、図２（ｂ）は（ａ）の携帯通信端末で使用するメモリカードの構成図である。
【００２４】
図１において、１は、全国に張り巡らされたＩＳＤＮ等のデジタル回線網（以下、通信回線網）である。２ａ，２ｂは基地局であり、通信回線網１に所定間隔で設置され、それぞれ電波が到達する範囲（以下、通信圏内）を有している。３ａ，３ｂは液晶の表示部が設けられた携帯通信端末である。
【００２５】
基地局２ａ，２ｂは、それぞれの通信圏内に存在する携帯通信端末３ａ，３ｂを無線で通信回線網１に接続する中継局である。携帯通信端末３ａ，３ｂは、基地局２ａ，２ｂの通信圏内にいるとき、基地局２ａ，２ｂと無線交信することで通信回線網１に接続されて、通信回線網１と接続された他の電話機と通信可能になる一方で、基地局２ａ，２ｂの通信圏外にいる場合には、近傍に設置されている他の基地局（図示しない）と無線交信することで通信回線網１に接続され、他の電話機と通信できる。
【００２６】
４は添付付き電子メールを送受信でき、送信可能なファイルを収めたメールリストを送信できるデータ配信端末、４ａは電子メールを送受信できるメール管理手段、４ｂは送信する添付ファイル付き電子メールを作成するメールリスト作成手段、４ｃはカラオケ等のデータベース部である。メールリスト作成手段４ｂは電子メールで送信できるデータベース４ｃのデータファイルのリストを作成して送信できるものである。
【００２７】
５は携帯通信端末３ａ，３ｂ，データ配信端末４間で電子メールを送受信するときときのメールセンタのメールサーバである。５ａはメールセンタに送られてきた添付ファイル付き電子メールのメールリストを作成するメールリスト作成手段、５ｂは携帯通信端末３ａ，３ｂ，データ配信端末４からの要求で添付ファイル付き電子メールからファイルを分離して本文だけの電子メールを作成するメール処理手段である。６は添付付き電子メールを送受信できるパソコン、６ａは電子メールを送受信できるメール管理手段、６ｂはパソコンのデータベース部である。なお、メールリスト作成手段４ｂ，５ａは携帯通信端末３ａ，３ｂからのメールリスト要求によって、メールリストとして一括メールリストまたは一部選択した選択メールリストのいずれかを作成して送信することができる。また、データ配信端末４の中にはパソコン６と同様にメールリスト作成手段４ｂを備えていないものもあり、この場合パソコン６と同様メールセンタでメールサーバ５によってメールリストが作成され、ダウンロードされる。
【００２８】
続いて携帯通信端末の構成について説明する。図２（ａ）において、１１は無線送受信部、１２は通信制御部、１３は音声処理部である。無線送受信部１１は周波数変換部とモデムとから構成されている（図示しない）。周波数変換部の受信部は、アンテナで受信した信号を所定周波数の局部発振信号と混合することにより、中間周波信号（ＩＦ信号）に周波数変換する。また、周波数変換部の送信部は、後述するモデムから供給される変調波を所定周波数の局部発振信号と混合することにより周波数変換し、アンテナから輻射する。またモデムの受信部は、周波数変換部から出力されたＩＦ信号を復調し、通信制御部１２へ送出する。また、モデムの送信部では、通信制御部１２から供給されるデータを変調して、無線送受信部１１の周波数変換部へ送出する。
【００２９】
次に、通信制御部１２は、フレーム同期とスロットのデータフォーマット処理を行う。通信制御部１２の受信側は、無線送受信部１１のモデムから供給される受信データから所定のタイミングで１スロット分のデータを取り出し、このデータの中から同期信号を抽出してフレーム同期信号を生成し、スクランブル等を解除した後、制御データを後述の制御部１６へ送出し、音声データを音声処理部１３へ送出する。また、通信制御部１２の送信側は、音声処理部１３から供給される音声データに制御データ等を付加するとともに、スクランブル等を付与した後に同期信号を付加して、１スロット分の送信データを作成し、所定タイミングでフレーム内の所定スロットに挿入して無線送受信部１１のモデムに送出する。
【００３０】
次に、音声処理部１３は、受信側では通信制御部１２から供給される音声信号を復号化することにより伸張し、Ｄ／Ａ変換によりアナログ音声信号へ変換してスピーカ１４から出力する。音声処理部１３の送信側では、マイク１５から入力されたアナログ音声信号をＡ／Ｄ変換によりデータ信号に変換し、符号化することにより圧縮して通信制御部１２へ送出する。
【００３１】
次に、１６は制御部、１７はＲＯＭ（リードオンリーメモリ）、１７ａはＲＯＭ１７に設けられたプログラム格納部、１８は制御部１６のメインメモリとなるＲＡＭ（ランダムアクセスメモリ）、１９は記憶部を構成する複数の記憶媒体の１つの不揮発性のフラッシュメモリである。１９ａはフラッシュメモリ１９に設けられたファイルメモリ域、１９ｂはファイル管理を行うためのファイル管理テーブル、１９ｃは電子メールに添付されていたファイルを管理するために後述するリスト処理手段２９が作成した作成管理リスト一覧を格納する作成管理リスト一覧格納部である。作成管理リスト一覧には後述するメモリカード用作成管理リスト一覧のデータも包含される。また、ファイル管理テーブル１９ｂは、作成管理リスト一覧以外の一般のファイル管理に使われる。当然に両者間でファイル移動が可能である。ＲＯＭ１７，ＲＡＭ１８，フラッシュメモリ１９が内蔵記憶部を構成する。２０はキー入力部、２１は液晶ディスプレイ等を動作させる表示部である。２３は記憶部を構成する複数の記憶媒体の１つであり、ファイルストレージ用フラッシュメモリであるメモリカード、２４はメモリカード２３の入出力のインタフェースとなるメモリカード入出力部である。メモリカード２３は増設する記憶部であり、ＳＤカードやスマートカード等が好適である。内蔵記憶部とメモリカード２３は一体となって携帯通信端末の記憶部を構成する。なお制御部１６は、ＲＯＭ１７のプログラム格納部１７ａに格納されている制御プログラムを中央処理装置（ＣＰＵ）のメインメモリにロードして各機能を実現する機能実現手段として構成され、これにより各機能により装置全体を制御する。また、後述する通信管理部２２、メール管理手段２６、ファイル分離手段２７、ダウンロード判断手段２８、リスト処理手段２９、ファイル管理手段３０も、ブラウザ手段３１同様に制御プログラムを中央処理装置または所定のプロセッサにロードして各機能を実現する機能実現手段として構成されるものである。
【００３２】
キー入力部２０は、相手先の電話番号を入力する数値キーやファンクションキー等からの入力を受け付け制御部１６に伝える。また表示部２１は、キー入力部２０からの入力等で液晶ディスプレイ等に表示をさせるドライバであり、さらにスイッチ等のオン／オフ等を示すＬＥＤ、及びこれらのドライバから構成されている。
【００３３】
次に図２（ｂ）に基づいてメモリカード２３の説明を行う。２３ａはメモリカード２３の制御を行うメモリカード制御部、２３ｂは認証等でセキュリティを確保したりメモリカード２３のファイル管理を行うファイル管理部、２３ｂ１はリスト処理手段２９が作成したメモリカード用作成管理リストを格納するメモリカード用作成管理リスト一覧格納部である。２３ｃは電子メールに添付されていたファイルを格納するメールデータ部、２３ｃ１，２３ｃ２，２３ｃ３・・は２ｋバイト単位のファイルメモリ領域である。電子メールに添付されていたファイルのうち、大容量のファイルはこのファイルメモリ領域２３ｃ１，２３ｃ２，２３ｃ３・・にそれぞれ格納される。ファイル管理はファイル管理部２３ｂで行われるが、メールデータ部２３ｃに格納されている電子メールに添付されていたファイルはメモリカード用作成管理リスト一覧格納部２３ｂ１で管理される。２３ｄはメールデータ部２３ｃ以外のデータ部、２３ｅはメモリカード入出力部２４に接触または非接触で接続する接続部である。
【００３４】
続いて２５は画像処理部であり、画像データのフォーマットを別の形式に変換したり、さらに表示するときのサイズを拡大、縮小する。２６は、携帯通信端末から基地局を介してＩＳＰのゲートウェイとの間にＰＰＰ接続し、ＳＭＴＰでインターネット上に電子メールを送受信するメール管理手段である。メール管理手段２６によって、添付ファイル付きの電子メールの送受信が可能になる。添付ファイルはプロトコルＭＩＭＥに従ってＢａｓｅ６４でエンコードされて送受信される。２７は添付ファイル付き電子メールの添付ファイルをメールから分離するファイル分離手段、２８はメールセンタのメールサーバ５から添付ファイル付き電子メールのメールリストをダウンロードし、各添付ファイルのデータ量からダウンロードするのか否か、またダウンロード先をどこにするかを判断するダウンロード判断手段である。２９は、表示部２１によって表示される入力画面から入力することにより、メールサーバ５にメールリストを送信するように要求し、このメールリストを基にファイル管理に利用する作成管理リスト一覧を作成するリスト処理手段、３０は添付ファイルを管理するファイル管理手段である。３１はインターネットとＨＴＴＰで接続してウェブページを閲覧するためのブラウザ手段である。「ｉモード」「ｅｚウェブ」等のホームページを閲覧することができる。
【００３５】
ところで上述したメールセンタから送られるメールリストと、これを基にリスト処理手段２９が作成する作成管理リスト一覧について説明する。図３（ａ）は本発明の実施の形態１における携帯通信端末にダウンロードされるメールリスト図、図３（ｂ）は（ａ）の携帯通信端末のファイル管理に利用する作成管理リスト一覧図、図３（ｃ）は（ａ）の携帯通信端末のメモリカード用のカラオケ作成管理リスト一覧図である。
【００３６】
図３（ａ）において、４０はメールセンタのメールサーバ５に蓄積された電子メールの総件数、４１はメール番号、４２はメールＩＤ、４３は送信者である。送信者４３にはドメイン名、例えば「ｔａｒｏ（ａｔ　ｍａｒｋ）ａａａ．ｃｏ．ｊｐ」（ａｔ　ｍａｒｋはメールのアドレス表示のための記号）がセットされている。４４はメールの題目、４５はメールサーバ５が受信した蓄積時間、４６は添付されたファイルサイズ（本発明の容量情報）、４７はファイル形式である。ファイルサイズ４６には例えば１０２４バイト等のバイト数がセットされ、ファイル形式４７にはＪＰＥＧ形式、ＭＰＥＧ形式等が拡張子からセットされる。なお、添付されたファイルが複数の場合は、ファイルサイズ４６とファイル形式４７がファイルの数だけ繰り返される。メールリストには、これらの事項がメール番号１からメール番号Ｎまで連記され、メールセンタから携帯電話端末に送信される。
【００３７】
次に、このメールリストを基にリスト処理手段２９が作成する作成管理リスト一覧について説明する。図３（ｂ）において、４８は作成管理リスト一覧の管理するファイル番号、４９はファイル番号４８のファイルのタイトルである。タイトル４９はリスト処理手段２９がダウンロードしたメールリストの題目４４を切り出して作成する。５０は電子メールのメッセージ本文の最初の一行である。これは、メールリストのファイルサイズ４６に基づき、ダウンロード判断手段２８によってどの記憶媒体に格納するかが決定された後に、添付ファイル付き電子メールを受信して格納される。すなわち、電子メールを受信した後に、リスト処理手段２９がメッセージ本文の最初の一行を切り出して格納する。５１は情報元、５２は時刻情報、５３はファイル名である。情報元５１と時刻情報５２はリスト処理手段２９がメールリストの送信者４３と蓄積時間４５を切り出して作成する。なお、作成管理リスト一覧格納部１９ｃは、ダウンロード先の記憶媒体ごとにディレクトリ等が形成され、これらが携帯通信端末全体の作成管理リスト一覧のほかに、個別の作成管理リスト一覧を格納している。また、蓄積時間４５は携帯通信端末がダウンロードした時刻等の他の時刻でもよい。
【００３８】
ファイル名５３は上記の添付ファイル付き電子メールを受信した後に、リスト処理手段２９が添付ファイルのファイル名を切り出して格納する。このようにして作成された作成管理リスト一覧は、ファイル管理手段３０によってフラッシュメモリ１９の作成管理リスト一覧格納部１９ｃに格納され、ファイル管理に供される。上述したようにこの作成管理リスト一覧格納部１９ｃ内には、ファイル管理手段３０がメモリカード２３のためのディレクトリ等を形成し、ファイル名５３や情報元５１、タイトル４９等でソートさせることにより、メモリカード２３のためのメモリカード用作成管理リスト一覧が格納される。本実施の形態１においては、このメモリカード用作成管理リスト一覧によってメモリカードのファイル管理が可能になる。なお、このメモリカード用作成管理リスト一覧はメモリカード２３のリスト一覧格納部２３ｂ１に複写転送されて格納され、携帯通信端末を離れて独自に読出しを可能にする。
【００３９】
図３（ｃ）に示すカラオケ作成管理リスト一覧は、このメモリカード用作成管理リスト一覧の中の情報元５１からカラオケ配信元のドメイン名「ｋａｒａｏｋｅ（ａｔ　ｍａｒｋ）ｂｂｂ．ｃｏ．ｊｐ」を検索して作成したものである。これらはメモリカード用作成管理リスト一覧とは別に、ディレクトリ等を形成してリスト一覧格納部２３ｂ１に格納されてカラオケのデータとして管理される。図３（ｃ）において、５４はカラオケ番号、５５はタイトル種別、５６は曲名である。カラオケ番号１のタイトル種別５５には、リスト処理手段２９によってタイトル４９にセットされた「民謡」が書き込まれ、曲名５６にはファイル名「ソーラン節．ｊｐｅｇ」の拡張子を除いた「ソーラン節」が切り出されてセットされる。同様に、カラオケ番号２にはタイトル種別「民謡」と曲名「江差追分」が書き込まれる。以下カラオケ番号５４とともにタイトル種別５５、曲名５６が書き込まれることが繰り返される。これによってメールデータ部２３ｃの２ｋバイト単位のファイルメモリ領域２３ｃ１，２３ｃ２，２３ｃ３・・に１単位または複数単位にまたがって格納されたカラオケデータが、カラオケ作成管理リスト一覧で管理することが可能になる。
【００４０】
本実施の形態１では、曲名５６のようにファイル名５３から拡張子を除いて切り出して使用するので、例えば曲名の一覧表を表示させる際において、曲名ごとのファイルから都度曲名を読み出す必要がなく、ダウンロードとともにファイルの一覧表示が直ちに行え、ファイル管理のスピードアップが可能になる。さらにカラオケ作成管理リスト一覧は、通常は上述したようにメモリカード２３のリスト一覧格納部２３ｂ１に格納され（パソコン等でも使用できる）、カラオケのデータとして管理されるが、場合によっては携帯通信端末で表示させたい時点に、ファイル管理手段３０が作成管理リスト一覧を基にメモリカード２３にダウンロードしたファイル名をカラオケデータを示す拡張子に基づいて検索してカラオケ作成管理リスト一覧を作成して表示させることもできる。このとき作成管理リスト一覧を検索するので、フラッシュメモリ１９とメモリカード２３格納のすべてのカラオケデータの一覧を表示させることができる。なお、作成管理リスト一覧とメモリカード用作成管理リスト一覧とカラオケ作成管理リスト一覧は、新しくメールリストをダウンロードするごとに、リスト処理手段２９によって古いバージョンの一覧がそれぞれ更新される。
【００４１】
ところで、以上はファイル管理のために用いる作成管理リスト一覧について説明した。そこで、どのような基準で電子メールを受信するのか、受信するにしても、フラッシュメモリ１９にダウンロードするのか、またメモリカード２３にダウンロードするのか、という点をどのような基準で判断するかについて説明する。本実施の形態１のダウンロード判断手段２８は、図３（ａ）のメールリストのファイルサイズ４６が示す容量からダウンロードの処理を決定する。すなわち、５００ｋバイト（本発明の第１容量）より大きい容量であれば、ダウンロード判断手段２８は電子メールのダウンロードは行わない。これは例えばＲＡＭ１８の記憶容量等で決定される。５００ｋバイト以下で１００ｋバイト（本発明の第２容量）より大きければダウンロード判断手段２８はダウンロードを行い、メモリカード２３に格納する。１００ｋバイト以下であればフラッシュメモリ１９に格納する。なお、５００ｋバイトより大きい容量の場合、メール管理手段２６からの要求でメールサーバ５のＣＧＩに起動をかけ、添付ファイルを削除させることもでき、このとき本文だけの電子メールをダウンロードする。そして、このほかにユーザが不要と思う添付ファイル付き電子メールを削除させることも可能である。また、予め特定の送信者からの電子メールは自動的に削除するようにメールサーバ５に設定しておくことができる。なお、メール管理手段２６はバッファとしてのＲＡＭ１８に受信し、フィル分離手段２７が添付ファイルを抽出してデコードし、これをファイル管理手段３０がダウンロード判断手段２８の判断に従い、フラッシュメモリ１９に転送するか、メモリカードへのデータ入力管理を行ってメモリカード２３に移送する。メモリカード２３では、ファイル管理部２３ｂがメモリカード用作成管理リスト一覧格納部２３ｂ１に格納されたメモリカード用作成管理リスト一覧またはカラオケだけのリストであるカラオケ作成管理リスト一覧と各ファイルメモリ領域２３ｃ１，２３ｃ２，２３ｃ３・・のデータとを対応付けて格納するものである。
【００４２】
次に、携帯通信端末３ａがメールセンタもしくはデータ配信端末４からメールリストを受信して処理する流れについて説明する。図４は本実施の形態１における携帯通信端末とメールセンタ間のメール受信シーケンス図、図５は本実施の形態１における携帯通信端末のメール受信処理のフローチャートである。
【００４３】
まず、携帯通信端末３ａとメールセンタとの間のメール受信シーケンスについて説明する。このシーケンスは携帯通信端末３ａとデータ配信端末４との間でも同様である。図４において、携帯通信端末３ａでメールセンタを接続先として指定する（Ｓ１）。メール受信接続処理を開始（Ｓ２）し、呼設定メッセージを送信し（Ｓ３）、応答メッセージを受信する（Ｓ４）。電子メール受信するためのサービスチャンネルが確立された後（Ｓ５）、携帯通信端末３ａからメールセンタへ１回目の選択メールリスト要求を行う（Ｓ６）。メールセンタから１回目の選択メールリストが送信され、これを携帯通信端末３ａが受信する（Ｓ７）。一括メールリストの場合は、図示はしないが一括メールリスト要求を行い（Ｓ６）、一括メールリストを受信する。
【００４４】
次に、メールリストの総蓄積件数４０、例えば「１００件」を確認することにより、受信したメールリスト掲載のメール件数を確認する（Ｓ８）。続いてメールリストから受信した電子メールの有効確認を行う（Ｓ９）。電子メールの受信を希望しないものや、５００ｋバイトを越える添付ファイルを添付された場合には、キー入力部２０からの入力またはダウンロード判断手段２８の判断で、メールの削除要求を通知する（Ｓ１０）。但し、添付ファイルのデータ量が大きいためファイルの受信はしないが、本文メッセージだけは見たいという場合には添付ファイル除去要求をすればよい。これに対し、メールセンタからは削除通知または添付ファイル除去通知が通知される（Ｓ１１）。
【００４５】
不要な電子メールや添付ファイルを削除したのを確認すると（Ｓ１２）、携帯通信端末３ａからメールセンタへメール要求を行い（Ｓ１３）、メールセンタからはメールが送信され、携帯通信端末３ａがこれを受信する（Ｓ１４）。ファイルサイズによってフラッシュメモリ１９またはメモリカード２３へ格納し（Ｓ１５）、設定に従ってメールリストからファイル管理用の作成管理リスト一覧を作成する（Ｓ１６）。場合によってはメモリカード用作成管理リスト一覧を作成することになる。ほかの添付付き電子メールのダウンロードを希望する場合はＳ１３〜Ｓ１５を繰り返す（Ｓ１７）。
【００４６】
受信したメールリストの全件数が処理されたことを確認し（Ｓ１８）、他に選択メールリストを受信したいときは２回目の選択メールリスト要求を行い（Ｓ１９）、メールセンタから２回目のメールリストを受信する（Ｓ２０）。その後Ｓ１５〜Ｓ１６を繰り返し、さらに３回目以上の選択メールリスト要求を行う場合はＳ６〜Ｓ１５を繰り返す（Ｓ２１）。その後、全選択メールリストの受信確認を行い（Ｓ２２）、終了処理を行う（Ｓ２３）。なお、作成管理リスト一覧，メモリカード用作成管理リスト一覧は、２回目以降の選択メールリストで更新される。
【００４７】
続いて、以上説明したシーケンスの中で、携帯通信端末３ａが行う処理の詳細について図５のフローチャートに基づいて説明する。図５において、携帯通信端末３ａは受信するメールリストが選択メールリストか一括メールリストかをチェックする（ｓｔｅｐ３１）。選択メールリストの場合選択メールリスト要求をメールセンタに行い（ｓｔｅｐ３２）、一括メールリストの場合一括メールリスト要求を行う（ｓｔｅｐ３３）。
【００４８】
メールセンタから選択メールリストか一括メールリストを受信すると、メールリストの総件数４０を確認することにより、受信したメールリスト掲載のメール件数を確認する（ｓｔｅｐ３４）。次いで、メールリストの中で受信するファイルか否かを選択する（ｓｔｅｐ３５）。受信する場合には、そのファイルサイズが５００ｋバイトよりも大きいか否かをチェックする（ｓｔｅｐ３６）。ｓｔｅｐ３６で５００ｋバイト以上のときにはメール全体を削除するかどうか検討し（ｓｔｅｐ３７）、削除する場合はメール削除要求をメールセンタに送信する（ｓｔｅｐ３８）。ｓｔｅｐ３５においてファイルを受信しない場合もｓｔｅｐ３７にすすんで、メール全体を削除するかどうか検討する。ｓｔｅｐ３７でメール全体を削除しない場合は本文メッセージだけを受信する（ｓｔｅｐ３９）。
【００４９】
ｓｔｅｐ３６において、ファイルサイズが５００ｋバイト以下の場合、ファイルサイズが１００ｋバイトより大きいか、１００ｋバイト以下かをチェックする（ｓｔｅｐ４０）。ｓｔｅｐ４０においてファイルサイズが１００ｋバイト〜５００ｋバイトの場合、メール要求を行い（ｓｔｅｐ４１）、ダウンロードされた電子メールから添付ファイルを分離してメモリカード２３に格納する（ｓｔｅｐ４２）、ｓｔｅｐ４０においてファイルサイズが１００ｋバイト以下の場合も、同じくメール要求を行い（ｓｔｅｐ４３）、ダウンロードされた電子メールから添付ファイルを分離してフラッシュメモリ１９に格納する（ｓｔｅｐ４４）。格納後、リスト処理手段２９は、受信したメールリストから作成管理リスト一覧，メモリカード用作成管理リスト一覧を作成して作成管理リスト一覧格納部１９ｃ，２３ｂ１に格納する（ｓｔｅｐ４５）。メモリカード用作成管理リスト一覧のような場合は、リスト処理手段２９が目的に応じさらに項目を絞って作成リストを作成してファイル管理に供する。
【００５０】
リスト一覧を作成した後、メールリストの全メールの処理が終了したかどうかがチェックされ（ｓｔｅｐ４６）、終了していない場合にはｓｔｅｐ３５に戻る。終了した場合、選択メールリストの場合は他の選択メールリストが存在するか否かが検討される（ｓｔｅｐ４７）。他の選択メールリストが存在する場合はｓｔｅｐ３２に戻り、存在しない場合及び一括メールリストの場合は処理を終了する。
【００５１】
このように実施の形態１の携帯通信端末は、５００ｋバイトを越えたときには受信を止め、５００ｋバイト以下のときにダウンロードするから、受信の判断が容易である。従って５００ｋバイト以下で１００ｋバイトより大きな容量のファイルは記憶容量が大きなメモリカードに収容でき、１００ｋバイト以下の小さな容量のときには内蔵のフラッシュメモリに格納できる。カラオケのデータ等は大きな容量のためメモリカードで一括して管理できる。不要と判断される電子メールを削除させることができる。同様に不要な添付ファイルを削除して本文メッセージだけを受信できるため、容量が大きい添付ファイルに対して、またこのほかにユーザが不要と判断する添付ファイルの本文メッセージだけを受信できる。
【００５２】
受信したメールリストで作成管理リスト一覧を作成するから、ファイル管理を行うため他のファイルと同様に管理のためのリストを改めてつくるのではなく、メールリストを受信したときに同時に作成管理リスト一覧を作成することができ、ファイル管理がきわめて容易である。
【００５３】
【発明の効果】
以上説明したように本発明の携帯通信端末によれば、メールリストから添付ファイルの容量を検出して、受信するのかしないのか、受信するときには格納する記憶媒体を決定するので、添付付き電子メールのダウンロードを確実且つ容易に行え、ダウンロード判断手段の一定の判断基準で管理ができるからダウンロード後にもファイル管理が容易に行える。記憶容量の大きなメモリカードに例えばカラオケのデータ等を格納し、容量の小さなファイルはフラッシュメモリに格納し、ダウンロード後のファイル管理が容易である。
【００５４】
そして第１容量より大きい容量のファイルの場合には受信せず、第１容量以下のときに電子メールを受信することを特徴とする請求項１または２記載の携帯通信端末であって、第１容量を越えたときには受信を止め、第１容量以下のときにダウンロードするから、受信の判断が容易である。従って第１容量以下で第２容量より大きな容量のファイルは記憶容量が大きなメモリカードに収容でき、第２容量以下の小さな容量のときには内蔵のフラッシュメモリに格納できる。カラオケのデータ等は大きな容量のためメモリカードで一括して管理できる。
【００５５】
メールリストの中から選択することにより、不要な電子メールを削除するから、不要と判断される電子メールを削除させることができる。同様に不要な添付ファイルを削除して本文メッセージだけを受信するから、容量が大きい添付ファイルに対して、またこのほかにユーザが不要と判断する添付ファイルを削除して、本文メッセージだけを受信できる。
【００５６】
ファイル管理手段が作成管理リスト一覧に基づいてファイル管理を行うから、受信したメールリストで作成管理リスト一覧を作成するから、ファイル管理を行うため改めて他のファイルと同様に管理のためのリストをつくるのではなく、メールリストを受信したときに、同時に作成管理リスト一覧を作成することができる。メモリカードのファイル管理を行うための作成管理リスト一覧を作成し、該メモリカードのファイル管理部に格納するから、ファイル管理を行うため改めて他のファイルと同様に管理のためのリスト（ディレクトリ）をつくるのではなく、メールリストを受信したときに、同時にメールリストからメモリカード用作成管理リスト一覧を作成することができる。カラオケ作成管理リストを作成し、ダウンロード後のファイル管理が容易に行える。
【図面の簡単な説明】
【図１】本発明の実施の形態１における携帯通信端末を用いる通信システムの構成図
【図２】（ａ）本発明の実施の形態１における携帯通信端末の制御ブロック図
（ｂ）（ａ）の携帯通信端末で使用するメモリカードの構成図
【図３】（ａ）本発明の実施の形態１における携帯通信端末にダウンロードされるメールリスト図
（ｂ）（ａ）の携帯通信端末のファイル管理に利用する作成管理リスト一覧図
（ｃ）（ａ）の携帯通信端末のメモリカード用のカラオケ作成管理リスト一覧図
【図４】本実施の形態１における携帯通信端末とメールセンタ間のメール受信シーケンス図
【図５】本実施の形態１における携帯通信端末のメール受信処理のフローチャート
【符号の説明】
１　デジタル回線網
２ａ，２ｂ　基地局
３ａ，３ｂ　携帯通信端末
４　データ配信端末
４ａ，６ａ　メール管理手段
４ｂ，５ａ　メールリスト作成手段
４ｃ，６ｂ　データベース部
５　メールサーバ
５ｂ　メール処理手段
６　パソコン
１１　無線送受信部
１２　通信制御部
１３　音声処理部
１４　スピーカ
１５　マイク
１６　制御部
１７　ＲＯＭ
１７ａ　プログラム格納部
１８　ＲＡＭ
１９　フラッシュメモリ
１９ａ　ファイルメモリ域
１９ｂ　ファイル管理テーブル
１９ｃ　作成管理リスト一覧格納部
２０　キー入力部
２１　表示部
２２　通信管理部
２３　メモリカード
２３ａ　メモリカード制御部
２３ｂ　ファイル管理部
２３ｂ１　メモリカード用作成管理リスト一覧格納部
２３ｃ　メールデータ部
２３ｃ１，２３ｃ２，２３ｃ３　ファイルメモリ領域
２３ｄ　データ部
２３ｅ　接続部
２４　メモリカード入出力部
２５　画像処理部
２６　メール管理手段
２７　ファイル分離手段
２８　ダウンロード判断手段
２９　リスト処理手段
３０　ファイル管理手段
３１　ブラウザ手段
４０　総件数
４１　メール番号
４２　メールＩＤ
４３　送信者
４４　題目
４５　蓄積時間
４６　ファイルサイズ
４７　ファイル形式
４８　ファイル番号
４９　タイトル
５０　本文の最初の一行
５１　情報元
５２　時刻情報
５３　ファイル名
５４　カラオケ番号
５５　タイトル種別
５６　曲名
【図１】
2004038532.tif 000003
【図２】
2004038532.tif 000004
【図３】
2004038532.tif 000005
【図４】
2004038532.tif 000006
【図５】
2004038532.tif 000007